(57)【要約】      （修正有）【課題】収納機能のほかに、オゾンによる殺菌・消臭効果やマイナスイオンによるリフレッシュ効果等の付加価値を付与し得るキャビネットを提供する。【解決手段】戸又は扉つきの密閉収納室１９Ａ，１９Ｂを有するキャビネットにおいて、該密閉収納室１９Ａ，１９Ｂ内にオゾン発生装置６Ａ，６Ｂを設けたり（殺菌・消臭機能が発揮される）、前面が開放された開放空間部を有するキャビネットにおいて、該開放空間部１８内にマイナスイオン発生装置７を設けたり（キャビネット設置室内をマイナスイオン環境にし得る）することにより、キャビネットに物品収納機能以外の付加価値を付与する。【選択図】図１
0003105509.tif 000002
【実用新案登録請求の範囲】
【請求項１】
戸又は扉つきの密閉収納室（１９Ａ，１９Ｂ，４９，５９）を有するキャビネットであって、前記密閉収納室（１９Ａ，１９Ｂ，４９，５９）内にオゾン発生装置（６，６Ａ，６Ｂ）を設けたことを特徴とするキャビネット。
【請求項２】
前面が開放された開放空間部（１８）を有するキャビネットであって、前記開放空間部（１８）内にマイナスイオン発生装置（７）を設けたことを特徴とするキャビネット。
【請求項３】
戸又は扉つきの密閉収納室（１９Ａ，１９Ｂ）と前面が開放された開放空間部（１８）とを有するキャビネットであって、前記密閉収納室（１９Ａ，１９Ｂ）内にオゾン発生装置（６Ａ，６Ｂ）を設けるとともに、前記開放空間部（１８）内にマイナスイオン発生装置（７）を設けたことを特徴とするキャビネット。
【考案の詳細な説明】
【技術分野】
【０００１】
本考案は、キャビネットに関し、さらに詳しくは、戸又は扉つきの密閉収納室又は／及び前面が開放された開放空間部を有するキャビネットに関するものである。尚、本考案が対象とするキャビネットとしては、例えばキッチンルームに設置される食器収納庫（一般に食器棚と称されている）や木製の食品収納庫、あるいは玄関に設置される履物収納庫等がある。
【背景技術】
【０００２】
近年、オゾン（酸化力が非常に強い）の持つ殺菌・消臭効果や、マイナスイオンの持つリフレッシュ効果（ストレスを軽減し気分を爽やかにする効果）が着目され、各種方面に利用されるようになってきた。例えば、オゾンの殺菌、消臭効果を利用したものとしては、オゾン発生装置を設けた冷蔵庫等の食品収納庫が提案されており（特許文献１、２参照）、マイナスイオンのリフレッシュ効果を利用したものとしては、マイナスイオン発生装置を設けた空気清浄機が提案されている（特許文献３、４参照）。又、このようなオゾン及びマイナスイオンの発生装置も小型化されたものが各種提案されている（例えば、特許文献５参照）。
【０００３】
【特許文献１】特開平１１−２７６０６５号公報
【０００４】
【特許文献２】特開平１１−２９９４７０号公報
【特許文献３】特開２００３−１２０９７２号公報
【特許文献４】特開２００４−４４８８２号公報
【特許文献５】特開２００４−１８３４８号公報
【考案の開示】
【考案が解決しようとする課題】
【０００５】
ところで、食品衛生上、食品自体の殺菌のほかに、食器類の殺菌・消臭も重要であるが、一般家庭のキッチンルームに設置されるキャビネット（例えば、食器収納庫や木製の食品収納庫）においては、収納される食器類や食品に対して殺菌・消臭機能を付与し得るものはなかった。
【０００６】
又、履物（特に靴類）は、長期間使用していると、内部が汗で臭くなったり内部に雑菌が繁殖したりすることがあるが、履物収納庫（シューズボックス）には、履物を保管しておくだけで消臭や殺菌の機能をもったものはなかった。
【０００７】
他方、上述したマイナスイオン発生装置を設けた空気清浄機を室内に設置すると、室内をマイナスイオン環境にすることができるが、空気清浄機を購入しなければならず、しかも室内に空気清浄機設置のための専用スペースが必要であった。
【０００８】
そこで、本考案は、キャビネットの適所にオゾン発生装置又は／及びマイナスイオン発生装置を設けることにより、キャビネット本来の収納機能のほかに、オゾンによる殺菌・消臭効果やマイナスイオンによるリフレッシュ効果等の付加価値を付与し得るキャビネットを提供することを目的としている。
【課題を解決するための手段】
【０００９】
本願請求項１の考案は、戸又は扉つきの密閉収納室を有するキャビネットにおいて、密閉収納室内にオゾン発生装置を設けたことを特徴としている。本願請求項１で対象となるキャビネットとしては、例えば食器棚と称されている食器収納庫や、単に食品を収納しておく木製の食品収納庫や、履物を収納する履物収納庫等が採用可能である。
【００１０】
密閉収納室は、戸又は扉によって開閉されるが、該戸又は扉を閉じると該収納室は密閉される。尚、キャビネットが食器収納庫では密閉収納室内に食器類が収納され、キャビネットが食品収納庫では密閉収納室内に適宜の食品が収納され、キャビネットが履物収納庫では密閉収納室内に履物が収納される。
【００１１】
オゾン発生装置は、電気式（２つの電極間でコロナ放電させてオゾンを発生させる形式）で比較的小型のものが使用される。このオゾン発生装置のオゾン発生量は、人体の健康に害を及ぼさない程度に少ないもの（例えば０.１ｐｐｍ以下）が好ましい。又、このオゾン発生装置の大きさは、特に限定するものではないが、例えば７０mm×４０mm×２５mm程度の小型のものが適当である。尚、この種のオゾン発生装置は、比較的安価な値段で市販されている。そして、このオゾン発生装置は、密閉収納室内の比較的邪魔にならない場所（例えば天井面）に固定されている。尚、オゾンは、空気より重いので、オゾン発生装置は密閉収納室内の天井面付近に取付けるのが好ましい。
【００１２】
この請求項１の考案のキャビネットでは、密閉収納室内を密閉した状態でオゾン発生装置を作動させると、オゾン発生装置からオゾンが密閉収納室内に放出されて充満し、そのオゾンで密閉収納室内に収納されている収納物（例えば、食器類、食品、履物等）を殺菌・消臭することができる。
【００１３】
本願請求項２の考案は、前面が開放された開放空間部を有するキャビネットにおいて、開放空間部内にマイナスイオン発生装置を設けたことを特徴としている。
【００１４】
キャビネットの開放空間部内には大容積のスペースを有しており、該開放空間部は、電気調理器具類（炊飯器、電子レンジ、電気ポット等）の収納・設置スペースや、その他の物置スペースとして利用されている。
【００１５】
マイナスイオン発生装置は、電気式（２つの電極間でコロナ放電させてマイナスイオンを発生させる形式）で比較的小型のものが使用される。そして、このマイナスイオン発生装置は、開放空間部内の比較的邪魔にならない場所（例えば天井面）に固定されている。
【００１６】
この請求項２の考案のキャビネットでは、マイナスイオン発生装置を作動させると、該マイナスイオン発生装置からマイナスイオンが放出されるが、このマイナスイオンは、開放空間部の開放部分からキャビネット設置室内（居住空間）に拡散していき、該室内をマイナスイオン環境にすることができる。
【００１７】
本願請求項３の考案は、戸又は扉つきの密閉収納室と前面が開放された開放空間部とを有するキャビネットにおいて、密閉収納室内にオゾン発生装置を設けるとともに、開放空間部内にマイナスイオン発生装置を設けたことを特徴としている。即ち、この請求項３の考案のキャビネットは、上記請求項１の構成と上記請求項２の構成の両方を備えたものである。
【考案の効果】
【００１８】
本願請求項１の考案のキャビネットでは、密閉収納室を密閉した状態でオゾン発生装置を作動させることにより、密閉収納室内にオゾンを充満させることができる。従って、この請求項１のキャビネットには、本来の物品収納機能のほかに、オゾン発生装置からのオゾンによって密閉収納室内に収納している収納物（例えば食器類、食品、履物等）を殺菌・消臭するという付加価値を付与できるという効果がある。
【００１９】
本願請求項２の考案のキャビネットでは、開放空間部内に設置したマイナスイオン発生装置を作動させると、該マイナスイオン発生装置から放出されたマイナスイオンが開放空間部を介してキャビネット設置室内（居住空間）に拡散していき、該室内をマイナスイオン環境にすることができる。このように室内（居住空間）をマイナスイオン環境にすると、居住者にリフレッシュ効果を付与できる。従って、この請求項２のキャビネットには、キャビネットを本来の物品収納機能のほかにキャビネット設置室内（居住空間）をマイナスイオン環境にできるという機能（付加価値）を付与できるという効果がある。又、マイナスイオン発生装置は、キャビネットの開放空間部内に設置しているので、室内（居住空間）にマイナスイオン発生装置設置のための専用スペースが不要になり、室内の余剰スペースが狭くならないという効果もある。
【００２０】
本願請求項３の考案のキャビネットでは、１台のキャビネットに上述した請求項１及び請求項２の両方の構成を有しているので、この請求項３のキャビネットでは、１台で請求項１及び請求項２の双方の機能（キャビネット本来の物品収納機能のほかに、密閉収納室内の殺菌・消臭機能とキャビネット設置室内のマイナスイオン環境生成機能）を達成できるという効果がある。
【考案を実施するための最良の形態】
【００２１】
図１〜図９を参照して本願の幾つかの実施例を説明すると、図１〜図４にはキャビネットとして食器収納庫を採用した第１実施例、図５及び図６にはキャビネットとして履物収納庫を採用した第２実施例、図７及び図８にはキャビネットとして木製の食品収納庫を採用した第３実施例をそれぞれ示しており、図９には各実施例のキャビネットに採用可能な別の形態の棚材を示している。尚、第１実施例（図１〜図４）のキャビネットは、本願請求項１〜３に対応するものであり、第２実施例（図５〜図６）及び第３実施例（図７〜図８）の各キャビネットは、本願請求項１のみに対応するものである。
【００２２】
図１〜図４の第１実施例
第１実施例のキャビネット（食器収納庫）は、図１及び図２に示すように、下部キャビネット２の上に上部キャビネット１を積み重ねて構成されている。尚、第１実施例において本願の要旨は、上部キャビネット１に設けている。
【００２３】
上部キャビネット１は、底板１１、右側板１２Ａ、左側板１２Ｂ、天板１３及び背板１４で外郭が形成されている。底板１１の上面には、左右２枚のスライド底板３，３が設けられている。この各スライド底板３，３は、手前側に所定長さだけ引き出し得るようになっている。
【００２４】
この上部キャビネット１には、右側板１２Ａと左側板１２Ｂ間の略１／２の高さ位置に固定棚板１５が設けられていて、上部キャビネット１内を上部室（符号１９Ａ，１９Ｂ）と下部室（符号１８）に区画している。
【００２５】
上部キャビネット１の下部室（符号１８）は、底板１１、右側板１２Ａ、左側板１２Ｂ、背板１４及び固定棚板１５で囲まれていて、前面が開放された開放空間部１８となっている。この開放空間部１８は、電気調理器具類３０（炊飯器、電子レンジ、電気ポット等）の収納・設置スペースや、その他の物置スペースとして利用される。
【００２６】
上部キャビネット１の上部室（１９Ａ，１９Ｂ）の前面部には、右側引戸１６Ａ及び左側引戸１６Ｂが設けられている。又、該上部室内は、仕切り板１７で左右２室（１９Ａ，１９Ｂ）に区画されている。そして、固定棚板１５、右側板１２Ａ、仕切り板１７、天板１３、背板１４及び右側引戸１６Ａで囲まれた空間が右側密閉収納室１９Ａとなり、固定棚板１５、左側板１２Ｂ、仕切り板１７、天板１３、背板１４及び左側引戸１６Ｂで囲まれた空間が左側密閉収納室１９Ｂとなっている。右側密閉収納室１９Ａ内及び左側密閉収納室１９Ｂ内には、それぞれ複数枚（３枚づつ）の棚板２９，２９・・が設けられている。尚、この各棚板２９上には、主として茶碗、グラス、皿等の食器類３１，３１・・が載置される。
【００２７】
上部キャビネット１の下部室である開放空間部１８内には、その一端部寄り位置（図１の第１実施例では左端部寄り位置）にマイナスイオン発生装置７が取付けられている。このマイナスイオン発生装置７は、電気式（２つの電極間でコロナ放電させてマイナスイオンを発生させる形式）で比較的小型（例えば７０mm×４０mm×２５mm程度の大きさ）のものが使用されている。尚、マイナスイオン発生装置７には、図示しない電気コードを介して給電される。
【００２８】
開放空間部１８内の適所（図示例では固定棚板１５下面の左端部奥側寄り位置）には、マイナスイオン発生装置７取付用の取付板２１が固定されており、該取付板２１の裏面側にマイナスイオン発生装置７を取付けている。取付板２１には、前後に穿設された貫通孔２０が形成されており、該貫通孔２０にマイナスイオン発生装置７のマイナスイオン吹出し口を対応させている。又、該取付板２１の前面には、マイナスイオン発生装置７をＯＮ・ＯＦＦするスイッチ２３が設けられている。尚、このスイッチ２３は、ＯＮ・ＯＦＦ状態を容易に識別し得る照光スイッチを採用することができる。
【００２９】
右側密閉収納室１９Ａ内及び左側密閉収納室１９Ｂ内には、それぞれオゾン発生装置（右側オゾン発生装置６Ａと左側オゾン発生装置６Ｂ）が設置されている。この各オゾン発生装置６Ａ，６Ｂは、それぞれ電気式（２つの電極間でコロナ放電させてオゾンを発生させる形式）で比較的小型（例えば７０mm×４０mm×２５mm程度の大きさ）のものが使用される。各オゾン発生装置６Ａ，６Ｂには、それぞれ図示しない電気コードを介して給電される。尚、この実施例で使用する各オゾン発生装置６Ａ，６Ｂとしては、オゾン発生量が比較的少ないもの（例えばオゾン発生量が０.１ｐｐｍ以下のもの）が使用される。
【００３０】
右側密閉収納室１９Ａ内の適所（図示例では天板１３下面の右端部奥側寄り位置）には、右側オゾン発生装置６Ａ取付用の取付板２５Ａが固定されており、該取付板２５Ａの裏面側に右側オゾン発生装置６Ａを取付けている。他方、左側密閉収納室１９Ｂ内の適所（図示例では天板１３下面の左端部奥側寄り位置）には、左側オゾン発生装置６Ｂ取付用の取付板２５Ｂが固定されており、該取付板２５Ｂの裏面側に左側オゾン発生装置６Ｂを取付けている。左右の各取付板２５Ａ，２５Ｂには、それぞれ前後に穿設された貫通孔２４，２４が形成されており、該各貫通孔２４，２４にそれぞれ右側オゾン発生装置６Ａ及び左側オゾン発生装置６Ｂの各オゾン吹出し口を対応させている。尚、オゾンは、空気より重いので、各オゾン発生装置６Ａ，６Ｂは、各密閉収納室１９Ａ，１９Ｂの天井面付近に取付けるのが好ましい。
【００３１】
右側密閉収納室１９Ａ内における右側板１２Ａの手前寄り上部位置には、右側オゾン発生装置６ＡをＯＮ・ＯＦＦする右側プッシュ式スイッチ２７Ａが設けられている。他方、右側引戸１６Ａの内面には、右側プッシュ式スイッチ２７ＡをＯＮ操作する接触板２８Ａが取付けられている。そして、右側プッシュ式スイッチ２７Ａは、非操作時にはＯＦＦ状態であり、右側引戸１６Ａを完全に閉じたときに該右側引戸１６Ａの接触板２８ＡでＯＮ操作されるようになっている。
【００３２】
又、左側密閉収納室１９Ｂ内における左側板１２Ｂの手前寄り上部位置には、左側オゾン発生装置６ＢをＯＮ・ＯＦＦする左側プッシュ式スイッチ２７Ｂが設けられている。他方、右側引戸１６Ａの内面には、左側プッシュ式スイッチ２７ＢをＯＮ操作する接触板２８Ｂが取付けられている。そして、左側プッシュ式スイッチ２７Ｂは、非操作時にはＯＦＦ状態であり、左側引戸１６Ｂを完全に閉じたときに該左側引戸１６Ｂの接触板２８ＢでＯＮ操作されるようになっている。
【００３３】
図１、図４の状態では、右側引戸１６Ａは少し開放されていて右側プッシュ式スイッチ２７ＡがＯＦＦ状態となっており、左側引戸１６Ｂは完全閉鎖されていて左側プッシュ式スイッチ２７ＢがＯＮ状態となっている。尚、各オゾン発生装置６Ａ，６Ｂの各スイッチ２７Ａ，２７Ｂは、各引戸の開閉でＯＮ・ＯＦＦ操作されるもののほかに、キャビネットの適所（例えばマイナスイオン発生装置７の取付板２１）に取付けて、直接手動でＯＮ・ＯＦＦさせるものも採用できる。
【００３４】
又、この第１実施例では、左右の密閉収納室１９Ａ，１９Ｂ内にそれぞれ１個のオゾン発生装置６Ａ，６Ｂを設置しているが、オゾン発生装置の設置個数は必要に応じて増減させることができる。即ち、仕切壁１７の無い１室状態の密閉収納室では、オゾン発生装置が１個だけでもよいし、この実施例のように密閉収納室内を複数枚の棚板２９で区画しているものでは、上下に間隔をもって複数個のオゾン発生装置を使用してもよい。
【００３５】
この第１実施例のキャビネットは、物品収納機能の外に、次のような機能を有する。尚、キャビネットの使用時には、左右の密閉収納室１９Ａ，１９Ｂ内に食器類３１，３１・・が収納され、開放空間部１８内に電子レンジ等の電気調理器具類３０が収納される。又、左右の各オゾン発生装置６Ａ，６Ｂ及びマイナスイオン発生装置７は、それぞれ電源に接続しておく。
【００３６】
そして、マイナスイオン発生装置７用のスイッチ２３をＯＮ操作すると、マイナスイオン発生装置７が作動して、該マイナスイオン発生装置７からのマイナスイオンが矢印Ａ（図３参照）で示すように取付板２１の貫通孔２０を通って開放空間部１８内に放出され、さらに開放空間部１８からキャビネット設置室内（居住空間）に放出されて拡散する。従って、室内（居住空間）がマイナスイオン環境になって、居住者にリフレッシュ効果を与えることができる。尚、マイナスイオンの放出が不要である場合は、スイッチ２３をＯＦＦにすればよい。
【００３７】
図示状態（図１、図４）では、右側引戸１６Ａは少し開放されているが、右側プッシュ式スイッチ２７ＡがＯＦＦであるので、引戸が開放されている側の右側オゾン発生装置６Ａからオゾンが放出されることがない。又、図示状態では、左側引戸１６Ｂは完全に閉じていて左側プッシュ式スイッチ２７ＢがＯＮになっており、左側オゾン発生装置６Ｂからのオゾンが矢印Ｂ（図３参照）で示すように左側取付板２５Ｂの貫通孔２４を通って左側密閉収納室１９Ｂ内に放出される。尚、オゾン発生装置（左側オゾン発生装置６Ｂ）から放出されたオゾンは、空気より重いので、密閉収納室（左側密閉収納室１９Ｂ）内の上段室側から棚板２９の前縁を越えて順次下段室側に侵入していく。そして、時間の経過に伴って密閉収納室（左側密閉収納室１９Ｂ）内のオゾン濃度は均一化する。又、オゾン発生装置からのオゾン放出量は比較的少ない（例えば０.１ｐｐｍ以下）が、時間の経過とともに密閉収納室内で蓄積されてオゾン濃度がある程度（人体の健康に害を及ぼさない程度）まで高くなり、密閉収納室内において食器類３１に対してオゾンによる殺菌・消臭機能が発揮される。尚、引戸（１６Ａ，１６Ｂ）が完全に閉じている間は、該引戸が閉じている側のオゾン発生装置（６Ａ，６Ｂ）からオゾンが連続して放出されているが、引戸を少しでも開くとプッシュ式スイッチ（２７Ａ，２７Ｂ）がＯＦＦになって、オゾン発生装置からのオゾンの放出が直ちに停止し、食器類３１を取り出そうとした人にオゾンが吹きかかるのを防止することができる。
【００３８】
図５及び図６の第２実施例
この第２実施例のキャビネットは、履物収納庫を対象にしている。このキャビネット（履物収納庫）は、底板４１、右側板４２Ａ、左側板４２Ｂ、天板４３、及び背板４４で外郭が形成されている。又、このキャビネットの前面部には、左右に合計３枚の扉４６，４６，４６が設けられている。この各扉４６，４６，４６は、それぞれ片方の側部の上下で枢着されていて、それぞれ前後に弧回動開閉される。
【００３９】
そして、このキャビネット（履物収納庫）内には、底板４１、右側板４２Ａ、左側板４２Ｂ、天板４３、背板４４、及び各扉４６，４６，４６により、密閉収納室４９が形成されている。この密閉収納室４９内には、上下に所定間隔をもって複数枚の棚板４５，４５・・が設けられている。各棚板４５の前縁と扉４６の内面との間には、適宜間隔の隙間が形成されており、各棚板４５の上室と下室との間を空気が自由に移動し得るようになっている。尚、各棚板４５は、履物５０を載せるためのものである。
【００４０】
密閉収納室４９内には、１個のオゾン発生装置６が設置されている。このオゾン発生装置６は、キャビネット前面部の上端位置に設けている取付板４７の裏面中央部に固定している。又、このオゾン発生装置６は、取付板４７の前面に設けた手動スイッチ（照光スイッチ）４８でＯＮ・ＯＦＦされる。尚、この第２実施例のキャビネットにおいて、オゾン発生装置の設置箇所（個数）を必要に応じて増やすことができる。
【００４１】
この第２実施例のキャビネット（履物収納庫）では、棚板４５上に履物５０を載置し、各扉４６，４６，４６を閉じてスイッチ４８をＯＮにすると、オゾン発生装置６が作動する。すると、図６に示すように、該オゾン発生装置６からのオゾンが矢印Ｂで示すように密閉収納室４９内に放出される。尚、オゾン発生装置６から放出されたオゾンは、密閉収納室４９内の上段室側から棚板４５の前縁を越えて順次下段室側に侵入していき、時間の経過に伴って密閉収納室４９内のオゾン濃度は均一化する。
【００４２】
このように、密閉収納室４９内にオゾンが放出されると、該オゾンが履物５０の内部にまで侵入し、履物５０に対して殺菌・消臭機能を発揮する。
【００４３】
図７及び図８の第３実施例
この第３実施例のキャビネットは、木製の食品収納庫を対象にしている。このキャビネット（食品収納庫）は、底板５１、右側板５２Ａ、左側板５２Ｂ、天板５３、及び背板５４で外郭が形成されている。又、このキャビネットの前面部には、左右２枚の扉５６，５６が設けられている。この各扉５６，５６は、それぞれ前後に弧回動開閉される。尚、図７には、左側の扉５６を開放させた状態を示している。
【００４４】
そして、このキャビネット（食品収納庫）内には、底板５１、右側板５２Ａ、左側板５２Ｂ、天板５３、背板５４、及び各扉５６，５６により、密閉収納室５９が形成されている。この密閉収納室５９内には、上下に所定間隔をもって複数枚の棚板５５，５５・・が設けられている。各棚板５５の前縁と扉５６の内面との間には、適宜間隔の隙間が形成されており、各棚板５５の上室と下室との間を空気が自由に移動し得るようになっている。尚、各棚板５５は、適宜の食品６０を載せるためのものである。又、各扉５６，５６の内面には、収納袋６１が上下に複数個づつ取付けられている。
【００４５】
密閉収納室５９内には、オゾン発生装置６（この第３実施例では１個）が設置されている。このオゾン発生装置６は、キャビネット前面部の上端位置に設けている取付板５７の裏面中央部に固定している。又、このオゾン発生装置６は、取付板５７に設けた２つのプッシュ式スイッチ５８Ａ，５８ＢでＯＮ・ＯＦＦ操作される。この各プッシュ式スイッチ５８Ａ，５８Ｂは、それぞれ各扉５６，５６の開閉で操作される（閉扉で０Ｎ、開扉で０ＦＦ）。又、オゾン発生装置６は、両方のプッシュ式スイッチ５８Ａ，５８ＢがＯＮ状態（両扉５６，５６が閉）で作動し、何れか一方の扉５６を開放させると、開放扉側のプッシュ式スイッチがＯＦＦになってオゾン発生装置６の作動が直ちに停止する。尚、この第３実施例でも、オゾン発生装置６のスイッチとして手動スイッチ（照光スイッチ）を採用することができる。尚、この第３実施例のキャビネットにおいても、オゾン発生装置の設置箇所（個数）を必要に応じて増やすことができる。
【００４６】
この第３実施例のキャビネット（食品収納庫）では、棚板５５上に適宜の食品６０を載置し、各扉５６，５６を閉じると、各プッシュ式スイッチ５８Ａ，５８ＢがＯＮになってオゾン発生装置６が作動する。すると、図８に示すように、該オゾン発生装置６からのオゾンが矢印Ｂで示すように密閉収納室５９内に放出される。尚、オゾン発生装置６から放出されたオゾンは、密閉収納室５９内の上段室側から棚板５５５の前縁を越えて順次下段室側に侵入していき、時間の経過に伴って密閉収納室５９内のオゾン濃度は均一化する。
【００４７】
このように、密閉収納室５９内にオゾンが放出されると、該オゾンが食品６０に対して殺菌・消臭機能を発揮する。
【００４８】
図９には、各実施例の密閉収納室内に設置される別の形態の棚材６２を示しているが、この棚材６２は、複数本の金属線材を所定間隔をもってネット状に組付けたものである。この棚材６２では、各線材間に多数の隙間が形成されているので、該隙間を空気が自由に通り抜けることができる。そして、この棚材６２を、各実施例の棚板（２９，４５，５５）に替えてオゾン発生装置つきの密閉収納室内に設置すると、棚材上下の各室が連続するので、オゾン発生装置から放出したオゾンが棚材中を自由に通過できる。従って、密閉収納室内におけるオゾン濃度の均一化が容易に且つ短時間で達成できる。
【図面の簡単な説明】
【００４９】
【図１】本考案の第１実施例に係るキャビネットの正面図である。
【図２】図１のキャビネットの一部を切欠いた右側面図である。
【図３】図１のキャビネットのIII−III拡大断面図である。
【図４】図１のキャビネットのIV−IV断面図である。
【図５】本考案の第２実施例に係るキャビネットの正面図である。
【図６】図５のキャビネットのVI−VI断面図である。
【図７】本考案の第３実施例に係るキャビネットの正面図である。
【図８】図７のキャビネットのVIII−VIII拡大断面図である。
【図９】本考案のキャビネットに使用可能な棚材の斜視図である。
【符号の説明】
【００５０】
１は上部キャビネット、２は下部キャビネット、４はキャビネット（履物収納庫）、５はキャビネット（食品収納庫）、６，６Ａ，６Ｂはオゾン発生装置、７はマイナスイオン発生装置、１８は開放空間部、１９Ａ，１９Ｂは密閉収納室、４９は密閉収納室、５９は密閉収納室である。
【図１】
0003105509.tif 000003
【図２】
0003105509.tif 000004
【図３】
0003105509.tif 000005
【図４】
0003105509.tif 000006
【図５】
0003105509.tif 000007
【図６】
0003105509.tif 000008
【図７】
0003105509.tif 000009
【図８】
0003105509.tif 000010
【図９】
0003105509.tif 000011
【手続補正書】
【提出日】平成16年7月2日(2004.7.2)
【手続補正１】
【補正対象書類名】実用新案登録請求の範囲
【補正対象項目名】全文
【補正方法】変更
【補正の内容】
【実用新案登録請求の範囲】
【請求項１】
戸又は扉つきの密閉収納室（１９Ａ，１９Ｂ，４９，５９）を有するキャビネットであって、前記密閉収納室（１９Ａ，１９Ｂ，４９，５９）内にオゾン発生装置（６，６Ａ，６Ｂ）を設けたことを特徴とするキャビネット。
【請求項２】
戸又は扉つきの密閉収納室（１９Ａ，１９Ｂ）と前面が開放された開放空間部（１８）とを有するキャビネットであって、前記密閉収納室（１９Ａ，１９Ｂ）内にオゾン発生装置（６Ａ，６Ｂ）を設けるとともに、前記開放空間部（１８）内にマイナスイオン発生装置（７）を設けたことを特徴とするキャビネット。
【手続補正２】
【補正対象書類名】明細書
【補正対象項目名】全文
【補正方法】変更
【補正の内容】
【考案の詳細な説明】
【技術分野】
【０００１】
本考案は、キャビネットに関し、さらに詳しくは、戸又は扉つきの密閉収納室又は／及び前面が開放された開放空間部を有するキャビネットに関するものである。尚、本考案が対象とするキャビネットとしては、例えばキッチンルームに設置される食器収納庫（一般に食器棚と称されている）や木製の食品収納庫、あるいは玄関に設置される履物収納庫等がある。
【背景技術】
【０００２】
近年、オゾン（酸化力が非常に強い）の持つ殺菌・消臭効果や、マイナスイオンの持つリフレッシュ効果（ストレスを軽減し気分を爽やかにする効果）が着目され、各種方面に利用されるようになってきた。例えば、オゾンの殺菌、消臭効果を利用したものとしては、オゾン発生装置を設けた冷蔵庫等の食品収納庫が提案されており（特許文献１、２参照）、マイナスイオンのリフレッシュ効果を利用したものとしては、マイナスイオン発生装置を設けた空気清浄機が提案されている（特許文献３、４参照）。又、このようなオゾン及びマイナスイオンの発生装置も小型化されたものが各種提案されている（例えば、特許文献５参照）。
【０００３】
【特許文献１】特開平１１−２７６０６５号公報
【０００４】
【特許文献２】特開平１１−２９９４７０号公報
【特許文献３】特開２００３−１２０９７２号公報
【特許文献４】特開２００４−４４８８２号公報
【特許文献５】特開２００４−１８３４８号公報
【考案の開示】
【考案が解決しようとする課題】
【０００５】
ところで、食品衛生上、食品自体の殺菌のほかに、食器類の殺菌・消臭も重要であるが、一般家庭のキッチンルームに設置されるキャビネット（例えば、食器収納庫や木製の食品収納庫）においては、収納される食器類や食品に対して殺菌・消臭機能を付与し得るものはなかった。
【０００６】
又、履物（特に靴類）は、長期間使用していると、内部が汗で臭くなったり内部に雑菌が繁殖したりすることがあるが、履物収納庫（シューズボックス）には、履物を保管しておくだけで消臭や殺菌の機能をもったものはなかった。
【０００７】
他方、上述したマイナスイオン発生装置を設けた空気清浄機を室内に設置すると、室内をマイナスイオン環境にすることができるが、空気清浄機を購入しなければならず、しかも室内に空気清浄機設置のための専用スペースが必要であった。
【０００８】
そこで、本考案は、キャビネットの適所にオゾン発生装置又は／及びマイナスイオン発生装置を設けることにより、キャビネット本来の収納機能のほかに、オゾンによる殺菌・消臭効果やマイナスイオンによるリフレッシュ効果等の付加価値を付与し得るキャビネットを提供することを目的としている。
【課題を解決するための手段】
【０００９】
本願請求項１の考案は、戸又は扉つきの密閉収納室を有するキャビネットにおいて、密閉収納室内にオゾン発生装置を設けたことを特徴としている。本願請求項１で対象となるキャビネットとしては、例えば食器棚と称されている食器収納庫や、単に食品を収納しておく木製の食品収納庫や、履物を収納する履物収納庫等が採用可能である。
【００１０】
密閉収納室は、戸又は扉によって開閉されるが、該戸又は扉を閉じると該収納室は密閉される。尚、キャビネットが食器収納庫では密閉収納室内に食器類が収納され、キャビネットが食品収納庫では密閉収納室内に適宜の食品が収納され、キャビネットが履物収納庫では密閉収納室内に履物が収納される。
【００１１】
オゾン発生装置は、電気式（２つの電極間でコロナ放電させてオゾンを発生させる形式）で比較的小型のものが使用される。このオゾン発生装置のオゾン発生量は、人体の健康に害を及ぼさない程度に少ないもの（例えば０.１ｐｐｍ以下）が好ましい。又、このオゾン発生装置の大きさは、特に限定するものではないが、例えば７０mm×４０mm×２５mm程度の小型のものが適当である。尚、この種のオゾン発生装置は、比較的安価な値段で市販されている。そして、このオゾン発生装置は、密閉収納室内の比較的邪魔にならない場所（例えば天井面）に固定されている。尚、オゾンは、空気より重いので、オゾン発生装置は密閉収納室内の天井面付近に取付けるのが好ましい。
【００１２】
この請求項１の考案のキャビネットでは、密閉収納室内を密閉した状態でオゾン発生装置を作動させると、オゾン発生装置からオゾンが密閉収納室内に放出されて充満し、そのオゾンで密閉収納室内に収納されている収納物（例えば、食器類、食品、履物等）を殺菌・消臭することができる。
【００１３】
本願請求項２の考案は、戸又は扉つきの密閉収納室と前面が開放された開放空間部とを有するキャビネットにおいて、密閉収納室内にオゾン発生装置を設けるとともに、開放空間部内にマイナスイオン発生装置を設けたことを特徴としている。
【００１４】
この請求項２の考案において、密閉収納室内にオゾン発生装置を設けたことは、上記請求項１と同じである。
【００１５】
又、この請求項２の考案では、前面が開放された開放空間部を有するキャビネットにおいて、開放空間部内にマイナスイオン発生装置を設けている。
【００１６】
キャビネットの開放空間部内には大容積のスペースを有しており、該開放空間部は、電気調理器具類（炊飯器、電子レンジ、電気ポット等）の収納・設置スペースや、その他の物置スペースとして利用されている。
【００１７】
マイナスイオン発生装置は、電気式（２つの電極間でコロナ放電させてマイナスイオンを発生させる形式）で比較的小型のものが使用される。そして、このマイナスイオン発生装置は、開放空間部内の比較的邪魔にならない場所（例えば天井面）に固定されている。
【００１８】
この請求項２の考案のキャビネットでは、上記請求項１の機能に加えて、マイナスイオン発生装置を作動させると、該マイナスイオン発生装置からマイナスイオンが放出されるが、このマイナスイオンは、開放空間部の開放部分からキャビネット設置室内（居住空間）に拡散していき、該室内をマイナスイオン環境にすることができる。
【考案の効果】
【００１９】
本願請求項１の考案のキャビネットでは、密閉収納室を密閉した状態でオゾン発生装置を作動させることにより、密閉収納室内にオゾンを充満させることができる。従って、この請求項１のキャビネットには、本来の物品収納機能のほかに、オゾン発生装置からのオゾンによって密閉収納室内に収納している収納物（例えば食器類、食品、履物等）を殺菌・消臭するという付加価値を付与できるという効果がある。
【００２０】
本願請求項２の考案のキャビネットでは、上述した請求項１の構成のほかに、前面が開放された開放空間部内にマイナスイオン発生装置を設けている。従って、この請求項２の考案では、開放空間部内に設置したマイナスイオン発生装置を作動させると、該マイナスイオン発生装置から放出されたマイナスイオンが開放空間部を介してキャビネット設置室内（居住空間）に拡散していき、該室内をマイナスイオン環境にすることができる。このように室内（居住空間）をマイナスイオン環境にすると、居住者にリフレッシュ効果を付与できる。従って、この請求項２のキャビネットには、上記請求項１の効果のほかに、キャビネットを本来の物品収納機能のほかにキャビネット設置室内（居住空間）をマイナスイオン環境にできるという機能（付加価値）を付与できるという効果がある。又、マイナスイオン発生装置は、キャビネットの開放空間部内に設置しているので、室内（居住空間）にマイナスイオン発生装置設置のための専用スペースが不要になり、室内の余剰スペースが狭くならないという効果もある。
【考案を実施するための最良の形態】
【００２１】
図１〜図９を参照して本願の幾つかの実施例を説明すると、図１〜図４にはキャビネットとして食器収納庫を採用した第１実施例、図５及び図６にはキャビネットとして履物収納庫を採用した第２実施例、図７及び図８にはキャビネットとして木製の食品収納庫を採用した第３実施例をそれぞれ示しており、図９には各実施例のキャビネットに採用可能な別の形態の棚材を示している。尚、第１実施例（図１〜図４）のキャビネットは、本願請求項１〜３に対応するものであり、第２実施例（図５〜図６）及び第３実施例（図７〜図８）の各キャビネットは、本願請求項１のみに対応するものである。
【００２２】
図１〜図４の第１実施例
第１実施例のキャビネット（食器収納庫）は、図１及び図２に示すように、下部キャビネット２の上に上部キャビネット１を積み重ねて構成されている。尚、第１実施例において本願の要旨は、上部キャビネット１に設けている。
【００２３】
上部キャビネット１は、底板１１、右側板１２Ａ、左側板１２Ｂ、天板１３及び背板１４で外郭が形成されている。底板１１の上面には、左右２枚のスライド底板３，３が設けられている。この各スライド底板３，３は、手前側に所定長さだけ引き出し得るようになっている。
【００２４】
この上部キャビネット１には、右側板１２Ａと左側板１２Ｂ間の略１／２の高さ位置に固定棚板１５が設けられていて、上部キャビネット１内を上部室（符号１９Ａ，１９Ｂ）と下部室（符号１８）に区画している。
【００２５】
上部キャビネット１の下部室（符号１８）は、底板１１、右側板１２Ａ、左側板１２Ｂ、背板１４及び固定棚板１５で囲まれていて、前面が開放された開放空間部１８となっている。この開放空間部１８は、電気調理器具類３０（炊飯器、電子レンジ、電気ポット等）の収納・設置スペースや、その他の物置スペースとして利用される。
【００２６】
上部キャビネット１の上部室（１９Ａ，１９Ｂ）の前面部には、右側引戸１６Ａ及び左側引戸１６Ｂが設けられている。又、該上部室内は、仕切り板１７で左右２室（１９Ａ，１９Ｂ）に区画されている。そして、固定棚板１５、右側板１２Ａ、仕切り板１７、天板１３、背板１４及び右側引戸１６Ａで囲まれた空間が右側密閉収納室１９Ａとなり、固定棚板１５、左側板１２Ｂ、仕切り板１７、天板１３、背板１４及び左側引戸１６Ｂで囲まれた空間が左側密閉収納室１９Ｂとなっている。右側密閉収納室１９Ａ内及び左側密閉収納室１９Ｂ内には、それぞれ複数枚（３枚づつ）の棚板２９，２９・・が設けられている。尚、この各棚板２９上には、主として茶碗、グラス、皿等の食器類３１，３１・・が載置される。
【００２７】
上部キャビネット１の下部室である開放空間部１８内には、その一端部寄り位置（図１の第１実施例では左端部寄り位置）にマイナスイオン発生装置７が取付けられている。このマイナスイオン発生装置７は、電気式（２つの電極間でコロナ放電させてマイナスイオンを発生させる形式）で比較的小型（例えば７０mm×４０mm×２５mm程度の大きさ）のものが使用されている。尚、マイナスイオン発生装置７には、図示しない電気コードを介して給電される。
【００２８】
開放空間部１８内の適所（図示例では固定棚板１５下面の左端部奥側寄り位置）には、マイナスイオン発生装置７取付用の取付板２１が固定されており、該取付板２１の裏面側にマイナスイオン発生装置７を取付けている。取付板２１には、前後に穿設された貫通孔２０が形成されており、該貫通孔２０にマイナスイオン発生装置７のマイナスイオン吹出し口を対応させている。又、該取付板２１の前面には、マイナスイオン発生装置７をＯＮ・ＯＦＦするスイッチ２３が設けられている。尚、このスイッチ２３は、ＯＮ・ＯＦＦ状態を容易に識別し得る照光スイッチを採用することができる。
【００２９】
右側密閉収納室１９Ａ内及び左側密閉収納室１９Ｂ内には、それぞれオゾン発生装置（右側オゾン発生装置６Ａと左側オゾン発生装置６Ｂ）が設置されている。この各オゾン発生装置６Ａ，６Ｂは、それぞれ電気式（２つの電極間でコロナ放電させてオゾンを発生させる形式）で比較的小型（例えば７０mm×４０mm×２５mm程度の大きさ）のものが使用される。各オゾン発生装置６Ａ，６Ｂには、それぞれ図示しない電気コードを介して給電される。尚、この実施例で使用する各オゾン発生装置６Ａ，６Ｂとしては、オゾン発生量が比較的少ないもの（例えばオゾン発生量が０.１ｐｐｍ以下のもの）が使用される。
【００３０】
右側密閉収納室１９Ａ内の適所（図示例では天板１３下面の右端部奥側寄り位置）には、右側オゾン発生装置６Ａ取付用の取付板２５Ａが固定されており、該取付板２５Ａの裏面側に右側オゾン発生装置６Ａを取付けている。他方、左側密閉収納室１９Ｂ内の適所（図示例では天板１３下面の左端部奥側寄り位置）には、左側オゾン発生装置６Ｂ取付用の取付板２５Ｂが固定されており、該取付板２５Ｂの裏面側に左側オゾン発生装置６Ｂを取付けている。左右の各取付板２５Ａ，２５Ｂには、それぞれ前後に穿設された貫通孔２４，２４が形成されており、該各貫通孔２４，２４にそれぞれ右側オゾン発生装置６Ａ及び左側オゾン発生装置６Ｂの各オゾン吹出し口を対応させている。尚、オゾンは、空気より重いので、各オゾン発生装置６Ａ，６Ｂは、各密閉収納室１９Ａ，１９Ｂの天井面付近に取付けるのが好ましい。
【００３１】
右側密閉収納室１９Ａ内における右側板１２Ａの手前寄り上部位置には、右側オゾン発生装置６ＡをＯＮ・ＯＦＦする右側プッシュ式スイッチ２７Ａが設けられている。他方、右側引戸１６Ａの内面には、右側プッシュ式スイッチ２７ＡをＯＮ操作する接触板２８Ａが取付けられている。そして、右側プッシュ式スイッチ２７Ａは、非操作時にはＯＦＦ状態であり、右側引戸１６Ａを完全に閉じたときに該右側引戸１６Ａの接触板２８ＡでＯＮ操作されるようになっている。
【００３２】
又、左側密閉収納室１９Ｂ内における左側板１２Ｂの手前寄り上部位置には、左側オゾン発生装置６ＢをＯＮ・ＯＦＦする左側プッシュ式スイッチ２７Ｂが設けられている。他方、右側引戸１６Ａの内面には、左側プッシュ式スイッチ２７ＢをＯＮ操作する接触板２８Ｂが取付けられている。そして、左側プッシュ式スイッチ２７Ｂは、非操作時にはＯＦＦ状態であり、左側引戸１６Ｂを完全に閉じたときに該左側引戸１６Ｂの接触板２８ＢでＯＮ操作されるようになっている。
【００３３】
図１、図４の状態では、右側引戸１６Ａは少し開放されていて右側プッシュ式スイッチ２７ＡがＯＦＦ状態となっており、左側引戸１６Ｂは完全閉鎖されていて左側プッシュ式スイッチ２７ＢがＯＮ状態となっている。尚、各オゾン発生装置６Ａ，６Ｂの各スイッチ２７Ａ，２７Ｂは、各引戸の開閉でＯＮ・ＯＦＦ操作されるもののほかに、キャビネットの適所（例えばマイナスイオン発生装置７の取付板２１）に取付けて、直接手動でＯＮ・ＯＦＦさせるものも採用できる。
【００３４】
又、この第１実施例では、左右の密閉収納室１９Ａ，１９Ｂ内にそれぞれ１個のオゾン発生装置６Ａ，６Ｂを設置しているが、オゾン発生装置の設置個数は必要に応じて増減させることができる。即ち、仕切壁１７の無い１室状態の密閉収納室では、オゾン発生装置が１個だけでもよいし、この実施例のように密閉収納室内を複数枚の棚板２９で区画しているものでは、上下に間隔をもって複数個のオゾン発生装置を使用してもよい。
【００３５】
この第１実施例のキャビネットは、物品収納機能の外に、次のような機能を有する。尚、キャビネットの使用時には、左右の密閉収納室１９Ａ，１９Ｂ内に食器類３１，３１・・が収納され、開放空間部１８内に電子レンジ等の電気調理器具類３０が収納される。又、左右の各オゾン発生装置６Ａ，６Ｂ及びマイナスイオン発生装置７は、それぞれ電源に接続しておく。
【００３６】
そして、マイナスイオン発生装置７用のスイッチ２３をＯＮ操作すると、マイナスイオン発生装置７が作動して、該マイナスイオン発生装置７からのマイナスイオンが矢印Ａ（図３参照）で示すように取付板２１の貫通孔２０を通って開放空間部１８内に放出され、さらに開放空間部１８からキャビネット設置室内（居住空間）に放出されて拡散する。従って、室内（居住空間）がマイナスイオン環境になって、居住者にリフレッシュ効果を与えることができる。尚、マイナスイオンの放出が不要である場合は、スイッチ２３をＯＦＦにすればよい。
【００３７】
図示状態（図１、図４）では、右側引戸１６Ａは少し開放されているが、右側プッシュ式スイッチ２７ＡがＯＦＦであるので、引戸が開放されている側の右側オゾン発生装置６Ａからオゾンが放出されることがない。又、図示状態では、左側引戸１６Ｂは完全に閉じていて左側プッシュ式スイッチ２７ＢがＯＮになっており、左側オゾン発生装置６Ｂからのオゾンが矢印Ｂ（図３参照）で示すように左側取付板２５Ｂの貫通孔２４を通って左側密閉収納室１９Ｂ内に放出される。尚、オゾン発生装置（左側オゾン発生装置６Ｂ）から放出されたオゾンは、空気より重いので、密閉収納室（左側密閉収納室１９Ｂ）内の上段室側から棚板２９の前縁を越えて順次下段室側に侵入していく。そして、時間の経過に伴って密閉収納室（左側密閉収納室１９Ｂ）内のオゾン濃度は均一化する。又、オゾン発生装置からのオゾン放出量は比較的少ない（例えば０.１ｐｐｍ以下）が、時間の経過とともに密閉収納室内で蓄積されてオゾン濃度がある程度（人体の健康に害を及ぼさない程度）まで高くなり、密閉収納室内において食器類３１に対してオゾンによる殺菌・消臭機能が発揮される。尚、引戸（１６Ａ，１６Ｂ）が完全に閉じている間は、該引戸が閉じている側のオゾン発生装置（６Ａ，６Ｂ）からオゾンが連続して放出されているが、引戸を少しでも開くとプッシュ式スイッチ（２７Ａ，２７Ｂ）がＯＦＦになって、オゾン発生装置からのオゾンの放出が直ちに停止し、食器類３１を取り出そうとした人にオゾンが吹きかかるのを防止することができる。
【００３８】
図５及び図６の第２実施例
この第２実施例のキャビネットは、履物収納庫を対象にしている。このキャビネット（履物収納庫）は、底板４１、右側板４２Ａ、左側板４２Ｂ、天板４３、及び背板４４で外郭が形成されている。又、このキャビネットの前面部には、左右に合計３枚の扉４６，４６，４６が設けられている。この各扉４６，４６，４６は、それぞれ片方の側部の上下で枢着されていて、それぞれ前後に弧回動開閉される。
【００３９】
そして、このキャビネット（履物収納庫）内には、底板４１、右側板４２Ａ、左側板４２Ｂ、天板４３、背板４４、及び各扉４６，４６，４６により、密閉収納室４９が形成されている。この密閉収納室４９内には、上下に所定間隔をもって複数枚の棚板４５，４５・・が設けられている。各棚板４５の前縁と扉４６の内面との間には、適宜間隔の隙間が形成されており、各棚板４５の上室と下室との間を空気が自由に移動し得るようになっている。尚、各棚板４５は、履物５０を載せるためのものである。
【００４０】
密閉収納室４９内には、１個のオゾン発生装置６が設置されている。このオゾン発生装置６は、キャビネット前面部の上端位置に設けている取付板４７の裏面中央部に固定している。又、このオゾン発生装置６は、取付板４７の前面に設けた手動スイッチ（照光スイッチ）４８でＯＮ・ＯＦＦされる。尚、この第２実施例のキャビネットにおいて、オゾン発生装置の設置箇所（個数）を必要に応じて増やすことができる。
【００４１】
この第２実施例のキャビネット（履物収納庫）では、棚板４５上に履物５０を載置し、各扉４６，４６，４６を閉じてスイッチ４８をＯＮにすると、オゾン発生装置６が作動する。すると、図６に示すように、該オゾン発生装置６からのオゾンが矢印Ｂで示すように密閉収納室４９内に放出される。尚、オゾン発生装置６から放出されたオゾンは、密閉収納室４９内の上段室側から棚板４５の前縁を越えて順次下段室側に侵入していき、時間の経過に伴って密閉収納室４９内のオゾン濃度は均一化する。
【００４２】
このように、密閉収納室４９内にオゾンが放出されると、該オゾンが履物５０の内部にまで侵入し、履物５０に対して殺菌・消臭機能を発揮する。
【００４３】
図７及び図８の第３実施例
この第３実施例のキャビネットは、木製の食品収納庫を対象にしている。このキャビネット（食品収納庫）は、底板５１、右側板５２Ａ、左側板５２Ｂ、天板５３、及び背板５４で外郭が形成されている。又、このキャビネットの前面部には、左右２枚の扉５６，５６が設けられている。この各扉５６，５６は、それぞれ前後に弧回動開閉される。尚、図７には、左側の扉５６を開放させた状態を示している。
【００４４】
そして、このキャビネット（食品収納庫）内には、底板５１、右側板５２Ａ、左側板５２Ｂ、天板５３、背板５４、及び各扉５６，５６により、密閉収納室５９が形成されている。この密閉収納室５９内には、上下に所定間隔をもって複数枚の棚板５５，５５・・が設けられている。各棚板５５の前縁と扉５６の内面との間には、適宜間隔の隙間が形成されており、各棚板５５の上室と下室との間を空気が自由に移動し得るようになっている。尚、各棚板５５は、適宜の食品６０を載せるためのものである。又、各扉５６，５６の内面には、収納袋６１が上下に複数個づつ取付けられている。
【００４５】
密閉収納室５９内には、オゾン発生装置６（この第３実施例では１個）が設置されている。このオゾン発生装置６は、キャビネット前面部の上端位置に設けている取付板５７の裏面中央部に固定している。又、このオゾン発生装置６は、取付板５７に設けた２つのプッシュ式スイッチ５８Ａ，５８ＢでＯＮ・ＯＦＦ操作される。この各プッシュ式スイッチ５８Ａ，５８Ｂは、それぞれ各扉５６，５６の開閉で操作される（閉扉で０Ｎ、開扉で０ＦＦ）。又、オゾン発生装置６は、両方のプッシュ式スイッチ５８Ａ，５８ＢがＯＮ状態（両扉５６，５６が閉）で作動し、何れか一方の扉５６を開放させると、開放扉側のプッシュ式スイッチがＯＦＦになってオゾン発生装置６の作動が直ちに停止する。尚、この第３実施例でも、オゾン発生装置６のスイッチとして手動スイッチ（照光スイッチ）を採用することができる。尚、この第３実施例のキャビネットにおいても、オゾン発生装置の設置箇所（個数）を必要に応じて増やすことができる。
【００４６】
この第３実施例のキャビネット（食品収納庫）では、棚板５５上に適宜の食品６０を載置し、各扉５６，５６を閉じると、各プッシュ式スイッチ５８Ａ，５８ＢがＯＮになってオゾン発生装置６が作動する。すると、図８に示すように、該オゾン発生装置６からのオゾンが矢印Ｂで示すように密閉収納室５９内に放出される。尚、オゾン発生装置６から放出されたオゾンは、密閉収納室５９内の上段室側から棚板５５５の前縁を越えて順次下段室側に侵入していき、時間の経過に伴って密閉収納室５９内のオゾン濃度は均一化する。
【００４７】
このように、密閉収納室５９内にオゾンが放出されると、該オゾンが食品６０に対して殺菌・消臭機能を発揮する。
【００４８】
図９には、各実施例の密閉収納室内に設置される別の形態の棚材６２を示しているが、この棚材６２は、複数本の金属線材を所定間隔をもってネット状に組付けたものである。この棚材６２では、各線材間に多数の隙間が形成されているので、該隙間を空気が自由に通り抜けることができる。そして、この棚材６２を、各実施例の棚板（２９，４５，５５）に替えてオゾン発生装置つきの密閉収納室内に設置すると、棚材上下の各室が連続するので、オゾン発生装置から放出したオゾンが棚材中を自由に通過できる。従って、密閉収納室内におけるオゾン濃度の均一化が容易に且つ短時間で達成できる。
【図面の簡単な説明】
【００４９】
【図１】本考案の第１実施例に係るキャビネットの正面図である。
【図２】図１のキャビネットの一部を切欠いた右側面図である。
【図３】図１のキャビネットのIII−III拡大断面図である。
【図４】図１のキャビネットのIV−IV断面図である。
【図５】本考案の第２実施例に係るキャビネットの正面図である。
【図６】図５のキャビネットのVI−VI断面図である。
【図７】本考案の第３実施例に係るキャビネットの正面図である。
【図８】図７のキャビネットのVIII−VIII拡大断面図である。
【図９】本考案のキャビネットに使用可能な棚材の斜視図である。
【符号の説明】
【００５０】
１は上部キャビネット、２は下部キャビネット、４はキャビネット（履物収納庫）、５はキャビネット（食品収納庫）、６，６Ａ，６Ｂはオゾン発生装置、７はマイナスイオン発生装置、１８は開放空間部、１９Ａ，１９Ｂは密閉収納室、４９は密閉収納室、５９は密閉収納室である。